(57)【要約】【課題】チャイルドロック機能が設定された状態でも、必要ないときは自動的に解除状態となり、ふたたび必要となった場合は自動的に設定状態に戻り、チャイルドロックの設定や解除を使用者が都度行うわずらわしさを低減した給湯システムを提供すること。【解決手段】給湯機本体１１０に設けられ、入浴による浴槽水位変化を検出する浴槽水位検出手段６７と、浴槽水位検出手段６７の検出値から、入浴者が大人か子供かを判断する入浴者判断手段９６Ａと、給湯機本体１１０での運転条件に係る情報を入力する操作部９１と、操作部９１からの入力を無効にするロック部９６ｅと、入浴者判断手段９６Ａにより、入浴者が大人と判断された場合、ロック部９６ｅによる入力の無効を解除し、入浴者が子供と判断された場合、ロック部９６ｅによる入力の無効を解除しない、ロック解除部９６ｆと、を有する給湯機用リモコン１００Ａを備えた。【選択図】図５
2015206516.tif 000002
【特許請求の範囲】
【請求項１】
湯を沸き上げて所定の給湯先に供給する給湯機本体と、
前記給湯機本体に設けられ、
入浴による浴槽水位の変化を検出する浴槽水位検出手段と、
前記浴槽水位検出手段の検出値から、入浴者の有無および入浴者が大人か子供かを判断する入浴者判断手段と、
前記給湯機本体の入力装置であって、
前記給湯機本体での運転条件に係る情報を入力する操作部と、
前記操作部からの入力を無効にするロック部と、
前記入浴者判断手段により、入浴者が大人であると判断された場合、前記ロック部による入力の無効を解除し、入浴者が子供であると判断された場合、前記ロック部による入力の無効を解除しない、ロック解除部と、
を有する給湯機用リモコンと、
を、備えたことを特徴とする給湯システム。
【請求項２】
前記ロック解除部は、
前記入浴者判断手段により入浴者がいないと判断された場合は、前記ロック部による入力の無効を解除しないことを特徴とする、請求項１に記載の給湯システム。
【請求項３】
前記給湯機用リモコンは、浴室に設置される浴室リモコンと、浴室以外に設置される他のリモコンと、の少なくとも２つ以上のリモコンから構成され、
前記ロック部による入力が無効となるのは、前記浴室リモコンのみとすることを特徴とする、請求項１または２に記載の給湯システム。
【請求項４】
前記浴室リモコンの前記操作部を操作して、前記他のリモコンとの間で通話を行うインターホン機能と、をさらに備え、
前記ロック部は、前記インターホン機能を発動する前記操作部からの入力を無効にしないように構成したことを特徴とする、請求項３に記載の給湯システム。
【発明の詳細な説明】
【技術分野】
【０００１】
本発明は、給湯機に関し、特に誤操作を抑制または制限するロック機能（以下、「チャイルドロック機能」という）を有する給湯機用リモコンを備えた給湯機に関する。
【背景技術】
【０００２】
チャイルドロック機能を備えた給湯機用リモコンにおいて、浴槽への入浴を水位センサで検出し、水位変化からの経過時間により浴室内の人の在・不在を判断し、不在から所定時間経過すると、チャイルドロックを自動解除することが提案されている。（特許文献１参照）
【先行技術文献】
【特許文献】
【０００３】
【特許文献１】特開２０１０−１３３６４９号公報
【発明の概要】
【発明が解決しようとする課題】
【０００４】
しかしながら上記従来の構成では、入浴者不在から所定時間経過により、チャイルドロックが自動解除されるので、チャイルドロックを行って入浴した後、しばらく経った後に子供が入浴した場合、チャイルドロック解除状態になってしまい、その場合は改めてチャイルドロック設定を行う必要が生じ、利便性が低下する。
【０００５】
本発明は上記の事情に鑑みてなされたもので、チャイルドロック機能が設定された状態であっても、その必要がないときはチャイルドロック機能が自動的に解除状態となり、ふたたび必要となった場合は自動的にチャイルドロック機能が設定された状態に戻るように構成し、チャイルドロック機能の設定や解除を使用者が都度行うというわずらわしさを低減した給湯機を提供することを目的とする。
【課題を解決するための手段】
【０００６】
本発明の給湯機は、湯を沸き上げて所定の給湯先に供給する給湯機本体と、給湯機本体に設けられ、入浴による浴槽水位の変化を検出する浴槽水位検出手段と、浴槽水位検出手段の検出値から、入浴者の有無および入浴者が大人か子供かを判断する入浴者判断手段と、給湯機本体の入力装置であって、給湯機本体での運転条件に係る情報を入力する操作部と、操作部からの入力を無効にするロック部と、入浴者判断手段により、入浴者が大人であると判断された場合、ロック部による入力の無効を解除し、入浴者が子供であると判断された場合、ロック部による入力の無効を解除しない、ロック解除部と、を有する給湯機用リモコンと、を、備えたものである。
【発明の効果】
【０００７】
本発明によれば、チャイルドロック機能が設定された状態であっても、その必要がないときはチャイルドロック機能が自動的に解除状態となり、ふたたび必要となった場合は自動的にチャイルドロック機能が設定された状態に戻るように構成し、チャイルドロック機能の設定や解除を使用者が都度行うというわずらわしさを低減した給湯機を提供することができる。
【図面の簡単な説明】
【０００８】
【図１】本発明の給湯機の一例を示す概略図である。
【図２】図１の給湯機の浴室リモコンの一例を示す図である。
【図３】図１の給湯機の台所リモコンの一例を示す図である。
【図４】図１の給湯機の浴室リモコンを概略的に示す機能ブロック図である。
【図５】図１の給湯機のチャイルドロック機能に関する処理の一例を概略的に示すフローチャートである。
【発明を実施するための形態】
【０００９】
以下、本発明の実施の形態について、図面を参照して詳細に説明する。なお、本発明は以下に説明する実施の形態に限定されるものではない。また、各図において同一部分または相当部分は同一符号を付し、重複する説明を省略する。
【００１０】
実施の形態１．
図１は、本発明の給湯機の一例を示す概略図、図２は本発明の給湯機用のリモートコントローラで浴室に設置されるリモートコントローラの一例を示す概略図である。同図に示す給湯機１１０は、水を湯に沸き上げて所望箇所に給湯する機能と、温水式床暖房装置や浴槽１５０等の外部負荷設備で用いられて温度低下した湯を再加熱する機能とを有するものであり、ヒートポンプユニット１０と、貯湯タンク２０や本体側制御装置８０等を有する給湯機本体９０と、本発明の給湯機に含まれる給湯機用リモートコントローラ１００Ａ（以下、単に「リモートコントローラ１００Ａ」や「浴室リモコン１００Ａ」ということもある）とを備えている。以下、給湯機１１０の各構成要素について説明する。
【００１１】
上記のヒートポンプユニット１０は、二酸化炭素等を冷媒として用いた冷凍サイクルシステム（図示せず）を有し、給湯機本体９０中の貯湯タンク２０に貯留された低温水を湯に沸き上げる熱源機として機能する。
【００１２】
一方、給湯機本体９０は貯湯タンク２０、給水管路３０、加熱循環管路４０、給湯管路５０、放熱側循環管路６０、負荷側循環管路７０、再加熱用熱交換器７５、本体側制御装置８０等を有している。上記の貯湯タンク２０は、給水管路３０から供給される低温水を貯留すると共にヒートポンプユニット１０で沸き上げられた湯を貯留する。この貯湯タンク２０の下部には給水管路３０、加熱循環管路４０の往き管４０ａ、および放熱側循環管路６０の戻り管６０ｂが接続され、上部には加熱循環管路４０の戻り管４０ｂ、給湯管路５０、および放熱側循環管路６０の往き管６０ａが接続される。
【００１３】
給水管路３０は、市水等の低温水を貯湯タンク２０および給湯管路５０中の第１〜第２混合弁４３ａ，４３ｂに供給する管路であり、減圧弁（図示せず）と第１〜第３給水管部３０ａ〜３０ｃとを有している。減圧弁は、第１給水管部３０ａの途中に設けられて、水道等の水源（図示せず）からの低温水の水圧を所定値に減じる。第１給水管部３０ａは水源と貯湯タンク２０とを繋ぎ、第２給水管部３０ｂは第１給水管部３０ａから分岐して該第１給水管部３０ａと第１混合弁４３ａとを繋ぎ、第３給水管部３０ｃは第１給水管部３０ａから分岐して該第３給水管部３０ｃと第２混合弁４３ｂとを繋ぐ。図示の例では、給湯先の例として１つの給湯栓１６０が示されている。給水管路３０での低温水の流れ方向を図１中に実線の矢印Ａで示してある。
【００１４】
加熱循環管路４０は、貯湯タンク２０の下部からヒートポンプユニット１０中の放熱器（熱交換器；図示せず）を経由して貯湯タンク２０の上部に達する管路であり、第１温度センサ３３と循環ポンプ３５とが設けられた往き管４０ａ、および戻り管４０ｂを有している。往き管４０ａは貯湯タンク２０の下部と上記放熱器とを繋ぎ、戻り管４０ｂは上記放熱器と貯湯タンク２０の上部とを繋ぐ。第１温度センサ３３は、往き管４０ａを流れる水の温度を検知する。ヒートポンプユニット１０および循環ポンプ３５を起動させると、貯湯タンク２０下部の低温水が往き管４０ａに流入し、上記放熱器での熱交換により湯に沸き上げられた後に戻り管４０ｂを通って貯湯タンク２０の上部に戻される。加熱循環管路４０での湯水の流れ方向を図１中に実線の矢印Ｂで示してある。
【００１５】
給湯管路５０は、貯湯タンク２０に貯留された湯と第１給水管部３０ａまたは第２給水管部３０ｂからの低温水とを電動式の第１または第２混合弁４３ａ，４３ｂで混合して所定温度の湯を調製し、該湯を浴槽１５０等の外部負荷設備や給湯栓１６０等の給湯先に供給する。この給湯管路５０は、上記第１混合弁４３ａおよび第２混合弁４３ｂの他に第２温度センサ４５、電動式の注水弁４７、流量センサ４９、および第１〜第３給湯管部５０ａ〜５０ｃを有している。
【００１６】
上記の第１給湯管部５０ａは貯湯タンク２０の上部と第１〜第２混合弁４３ａ，４３ｂとを繋ぎ、第２給湯管部５０ｂは第１混合弁４３ａと負荷側循環管路７０での戻り管７０ｂとを繋ぎ、第３給湯管部５０ｃは第２混合弁４３ｂと給湯栓１６０とを繋ぐ。第２温度センサ４５は第２給湯管部５０ｂを流れる湯水の温度を検知し、注水弁４７は第２給湯管部５０ｂでの湯水の流量を調整し、流量センサ４９は第２給湯管部５０ｂでの湯水の流量を検知する。給湯管路５０での湯水の流れ方向を図１中に実線の矢印Ｃで示してある。
【００１７】
放熱側循環管路６０は、貯湯タンク２０の上部から再加熱用熱交換器７５を経由して貯湯タンク２０の下部に達する管路であり、往き管６０ａと、放熱側循環ポンプ５５が設けられた戻り管６０ｂとを有している。往き管６０ａは貯湯タンク２０の上部と再加熱用熱交換器７５の上部とを繋ぎ、戻り管６０ｂは再加熱用熱交換器７５の下部と貯湯タンク２０の下部とを繋ぐ。放熱側循環ポンプ５５を起動させると、貯湯タンク２０上部の湯が往き管６０ａに流入し、再加熱用熱交換器７５および戻り管６０ｂを経由して貯湯タンク２０の下部に戻る。放熱側循環管路６０での湯水の流れ方向を図１中に実線の矢印Ｄで示してある。
【００１８】
負荷側循環管路７０は、浴槽１５０から再加熱用熱交換器７５を経由して再び浴槽１５０に戻る管路であり、負荷側循環ポンプ６５が設けられた往き管７０ａと、水位センサ６７が設けられた戻り管７０ｂとを有している。往き管７０ａは浴槽１５０と再加熱用熱交換器７５とを繋ぎ、戻り管７０ｂは再加熱用熱交換器７５と浴槽１５０とを繋ぐ。負荷側循環ポンプ６５を起動させると、浴槽１５０内の浴水１５０ａが往き管７０ａに流入し、再加熱用熱交換器７５および戻り管７０ｂを経由して浴槽１５０に戻る。負荷側循環管路７０での湯水の流れ方向を図１中に実線の矢印Ｅで示してある。水位センサ６７は、その取付け位置を基準にして戻り管７０ｂの水圧から浴槽１５０での浴水１５０ａの水位を検知する。なお、浴槽１５０内には浴槽アダプタ１４５が取り付けられ、上記の往き管７０ａおよび戻り管７０ｂの各々は当該浴槽アダプタ１４５に接続される。再加熱用熱交換器７５は、放熱側循環管路６０を流れる湯と負荷側循環管路７０を流れる浴水１５０ａとの間で熱交換を行って浴水１５０ａを加熱する。
【００１９】
本体側制御装置８０は、本体側制御部８０ａと本体側記憶部８０ｂとを有しており、リモートコントローラ１００Ａに有線接続または無線接続されて該リモートコントローラ１００Ａと通信する。そして、本体側制御部８０ａは、リモートコントローラ１００Ａからユーザが入力した湯張り運転開始指令、追焚き運転開始指令等の指令や、リモートコントローラ１００Ａからユーザが入力して本体側記憶部８０ｂに格納された沸上げ開始時刻、沸上げ温度、湯張り温度、湯張り湯量、給湯温度等の運転条件に係る情報や、第１温度センサ３３、第２温度センサ４５、流量センサ４９、水位センサ６７等のセンサの検出結果等に基づいて、各構成部材の動作を制御する。具体的には、ヒートポンプユニット１０、循環ポンプ３５、第１混合弁４３ａ、第２混合弁４３ｂ、注水弁４７、放熱側循環ポンプ５５、および負荷側循環ポンプ６５の動作を制御する。
【００２０】
給湯機本体９０を構成する上述の構成部材のうち、給水管路３０、加熱循環管路４０、給湯管路５０、および負荷側循環管路７０をそれぞれ除いた残りの構成部材は、給湯機本体９０内に納められている。給水管路３０、加熱循環管路４０、給湯管路５０、および負荷側循環管路７０の各々は、その一部が給湯機本体９０の外部にまで延在している。
【００２１】
本体側制御装置８０と通信するリモートコントローラ１００Ａは、指令や情報等を入力するための複数の入力スイッチを有する操作部９１、液晶表示パネル等のフラットディスプレイパネルを用いて構成されて操作部９１から入力された指令や情報等を文字、図形、キャラクタ等の視覚情報にして表示する表示部９２、操作部９１のうち後述の台所リモコン（他のリモコン）とのインターホン通話を行うためのインターホン発動スイッチ９１ｂ、インターホン機能でのリモートコントローラ１００Ａ側の音声を受けるマイク部９４、後述の台所リモコン側のマイク部１９４で受けた音声をリモートコントローラ１００Ａ側で再生させるスピーカ部９３等を備えている。このリモートコントローラ１００Ａは、操作部９１から入力された上記の指令や情報等を給湯機本体９０、具体的には本体側制御部８０ａに送る。また、給湯機本体９０から運転状況等の情報を受信して、該情報を表示部９２に表示する。ただし、操作部９１中のチャイルドロック発動スイッチ９１ａが操作されてチャイルドロック機能が発動した後は、所定の終了条件が成立するまで操作部９１からの入力が無効になる。このリモートコントローラ１００Ａは、例えば浴室に設置される。
【００２２】
上述の各構成部材を備えた給湯機１１０では、例えばユーザがリモートコントローラ１００Ａから入力した沸上げ開始時刻になると、本体側制御装置８０による制御の下にヒートポンプユニット１０および循環ポンプ３５が起動されて沸上げ運転が開始され、第１温度センサ３３の検出結果から所定温度の湯が貯湯タンク２０に所定量貯留されたと判断されるまで継続される。この間、貯湯タンク２０の下部から加熱循環管路４０に低温水が流入し、ヒートポンプユニット１０で湯に沸き上げられて貯湯タンク２０の上部から該貯湯タンク２０に戻される。
【００２３】
ユーザが給湯栓１６０を開けると、給湯栓１６０が開いたことが例えば第３給湯管部５０ｃに設けられたセンサ（図示せず）によって検出され、給湯運転が開始される。この給湯運転では、本体側制御装置８０による制御の下に第２混合弁４３ｂでの第１給湯管部５０ａ側の弁開度および第３給水管部３０ｃ側の弁開度がそれぞれ調整されて、所定の給湯温度に調製された湯が給湯栓１６０から出湯する。
【００２４】
また、ユーザがリモートコントローラ１００Ａから湯張り運転開始指令を入力すると、湯張り運転が開始される。本体側制御装置８０による制御の下に注水弁４７が開弁すると共に、第１混合弁４３ａでの第１給湯管部５０ａ側の弁開度および第２給水管部３０ｂ側の弁開度が第２温度センサ４５の検知結果に基づいて本体側制御装置８０により調整され、所定湯張り温度の湯が第２給湯管部５０ｂから負荷側循環管路７０の往き管７０ａ、戻り管７０ｂへと流れて浴槽１５０に流入する。流量センサ４９の検知結果に基づく浴槽１５０への給湯量が湯張り湯量に達すると、本体側制御装置８０による制御の下に注水弁４７が閉弁する。そのあと、水位センサ６７により湯張り後の浴槽１５０の水位を検出しそのデータを本体側制御装置８０の本体側記憶部８０ｂおよび後述するリモートコントローラ１００Ａの記憶部９７へ記憶して湯張り運転が終了する。
【００２５】
ユーザがリモートコントローラ１００Ａから追焚き運転開始指令を入力すると、本体側制御装置８０による制御の下に放熱側循環ポンプ５５および負荷側循環ポンプ６５が起動されて追焚き運転が開始される。貯湯タンク２０に貯留されている湯が放熱側循環管路６０に流入する一方で浴槽１５０内の浴槽１５０ａが負荷側循環管路７０に流入し、放熱側循環管路６０を流れる湯と負荷側循環管路７０を流れる浴水１５０ａとの間で再加熱用熱交換器７５により熱交換が行われて浴水１５０ａが加熱（追焚き）され、該加熱された浴水１５０ａが負荷側循環管路７０の戻り管７０ｂから浴槽１５０に戻される。この追焚き運転は、例えば戻り管７０ｂに配置された温度センサ（図示せず）の検出結果から浴槽１５０内の浴水１５０ａが所定温度にまで加熱されたと判断されるまで継続される。
【００２６】
図４は、図１に示した給湯機１１０の浴室リモコン１００Ａを概略的に示す機能ブロック図である。同図に示すよう、浴室リモコン１００Ａは、上述した操作部９１および表示部９２の他にスピーカ部９３、マイク部９４、送受信処理部９５、リモート側制御部９６Ａ、および記憶部９７を備えている。図４に示した構成要素のうちで既に図１を参照して説明した構成要素については、図１で用いた参照符号と同じ参照符号を付してその説明を省略する。
【００２７】
上記のスピーカ部９３は、前述のインターホン機能での音声の再生以外に、操作部９１から所定の指令や情報が入力されて給湯機本体９０（図１参照）の操作が設定されたときや、リモートコントローラ１００Ａが給湯機本体９０から所定の情報、例えば追焚き完了等の情報を受信したとき等に動作して、所定の音、合成音声、メロディ等を再生する。送受信処理部９５は、給湯機本体９０への指令や情報の送信に係る処理、給湯機本体９０から送られてくる運転状況等の情報の受信に係る処理を行う。
【００２８】
そして、リモート側制御部９６Ａは、操作部９１からの入力内容、送受信処理部９５の受信内容等に応じて、表示部９２、スピーカ部９３、および送受信処理部９５の動作制御や、チャイルドロック機能の発動および解除を行う。そのために、当該リモート側制御部９６Ａは、入力処理部９６ａ、表示制御部９６ｂ、スピーカ制御部９６ｃ、通信管理部９６ｄ、ロック部９６ｅ、およびロック解除部９６ｆを有している。
【００２９】
上記の入力処理部９６ａは、操作部９１から入力された指令や情報等のうち、給湯機本体９０への指令や情報に係るものは通信管理部９６ｄに送り、チャイルドロック機能の発動に係るものはロック部９６ｅに送る。また、送受信処理部９５が給湯機本体９０から受信した情報を通信管理部９６ｄに送る。表示制御部９６ｂは、通信管理部９６ｄ、ロック部９６ｅ、およびロック解除部９６ｆの制御の下に表示部９２の動作を制御して、文字、図形、キャラクタ等の視覚表示を表示部９２に行わせる。
【００３０】
通信管理部９６ｄは、給湯機本体９０へ送信すべき指令や情報が入力処理部９６ａから送られてきたときには、送受信処理部９５の動作を制御して当該指令や情報に対応する信号を給湯機本体９０宛に送信させると共に、スピーカ部９３が所定の音、合成音声、メロディ等を再生するようにスピーカ制御部９６ｃの動作を制御する。また、送受信処理部９５が給湯機本体９０から所定の情報、例えば追焚き完了等の情報を受信したときには、該情報データに対応した視覚表示を表示部９２が行うように表示制御部９６ｂの動作を制御すると共に、スピーカ部９３が所定の音、合成音声、メロディ等を再生するようにスピーカ制御部９６ｃの動作を制御する。
【００３１】
ロック部９６ｅは、操作部９１中のチャイルドロック発動スイッチ９１ａ（図１参照）によりチャイルドロック機能の発動が指示されると、チャイルドロック機能を発動させる。すなわち、入力処理部９６ａの動作を制御して操作部９１からの入力を無効にする。また、チャイルドロック機能が発動中であることを報知する所定の視覚表示を表示部９２が行うように、表示制御部９６ｂの動作を制御する。
【００３２】
ロック解除部９６ｆは、予め定められた終了条件が成立したときにロック部９６ｅによる入力の無効を解除する。また、チャイルドロック機能が解除されたことを報知する所定の視覚表示を表示部９２が行うように、表示制御部９６ｂの動作を制御する。
【００３３】
リモートコントローラ１００Ａにおける上記の終了条件は、具体的には、使用者が浴槽１５０に湯張りしたあとに浴槽１５０に入浴した際に、水位センサ６７で検出される入浴者による浴水の水位変化が、あらかじめ記憶部９７または本体側記憶部８０ｂに給湯機１００の製造者があらかじめ設定し記憶された「入浴者が大人であると判断する閾値」以上である場合である。
【００３４】
なお、この「入浴者が大人であると判断する閾値」は、たとえば子供と大人を分ける体重を３６[ｋｇ]と想定し、その８０[％]が浴槽で水没する（頭や首を水面から出す）と想定し、入浴による水中への浸漬は３６[ｋｇ]の８０[％]の３０[ｋｇ]と想定し、かつ人体はほぼ水と同比重と想定し入浴による浴水の押しのけ量を３０ｋｇと想定する。一般的な浴槽の内側のサイズは縦１００[ｃｍ]、横６０[ｃｍ]と想定し、水の比重を１[ｇ／ｃｍ３]とすれば３０[ｋｇ]の浴水を押しのけると浴槽の水位は５[ｃｍ]上昇することになる。これを「入浴者が大人であると判断する閾値」と設定してもよい。または、使用者が家族構成を考慮するなどして、リモートコントローラ１００Ａから当該値を変更可能に構成してもよい。
【００３５】
ロック解除部９６ｆは、チャイルドロック機能が発動されると水位センサ６７により検出され記憶部９７に記憶された浴槽１５０への湯張り後の水位データと現在の水位データとの水位差とあらかじめ記憶部９７に記憶された「入浴者が大人であると判断する閾値」（たとえば５[ｃｍ]）とを比較する。
【００３６】
そして、当該ロック解除部９６ｆは、浴槽１５０への湯張り後の水位データと現在の水位データとの水位差が、あらかじめ記憶部９７に記憶された「入浴者が大人であると判断する閾値」以上の条件が成立した場合、終了条件が成立したと判断して、ロック部９６ｅによる入力の無効を解除する。すなわち、チャイルドロック機能を解除する。
【００３７】
図５は、図１に示した給湯機で給湯機用リモートコントローラのチャイルドロック機能に関する処理の一例を概略的に示すフローチャートである。同図に示す例では、図１に示した浴室リモコン（給湯機用リモートコントローラ）１００ＡがステップＳ１〜Ｓ５の処理を行って、チャイルドロック機能の設定および解除する例について説明するが、本発明はこれに限らずたとえば、給湯機本体側の本体側制御部８０が本処理を行うように構成してもよい。
【００３８】
最初に行われるステップＳ１では、チャイルドロック機能がロック部９６ｅにより発動されているか否かをリモート側制御部９６Ａのロック解除部９６ｆ（図４参照）が判断する。このステップＳ１でチャイルドロック機能が発動されていないと判断されたときには処理終了に遷移し、発動されていると判断されたときにはステップＳ２に進む。
【００３９】
ステップＳ２では、ロック解除部９６ｆは、水位センサ６７により検出され記憶部９７に記憶された浴槽１５０への湯張り後の水位データ（Ｈ０[ｃｍ]）を読み出して参照するとともに、水位センサ６７により検出される現在の水位データ（Ｈ１[ｃｍ]）を参照し、ステップＳ３に進む。なお、このとき、現在の水位データＨ１が、湯張り後の水位データＨ０よりも小さい場合は、入浴者により浴水が外部に掻き出されて入浴していない状態での水位が低下していると判断し、湯張り後の水位データＨ０を現在検出している水位データＨ１で置き換えるようにしてもよい。これにより入浴者がいないときの浴水の最新の水位をＨ０としておくことが可能となり、水位上昇度合いによる入浴者の判断がより確実なものとなる。
【００４０】
ステップＳ３では、ロック解除部９６ｆは、浴槽１５０への湯張り後の水位データ（Ｈ０[ｃｍ]）に、あらかじめ記憶部９７に記憶された「入浴者が大人であると判断する閾値」（５[ｃｍ]）を加えた値（Ｈ０＋５[ｃｍ]）と、水位センサ６７により検出される現在の水位データ（Ｈ１[ｃｍ]）を比較し、（Ｈ０＋５）≦Ｈ１の条件が成立した場合は、ステップＳ４に進み、それ以外の場合はステップＳ５に進む。
【００４１】
ステップＳ４では、ロック解除部９６ｆは、浴槽１５０の水位上昇が、浴槽への入浴者が大人であると判断する閾値を超えたので、入浴者は大人であると判断し、チャイルドロック機能を解除し、処理終了に至る。
【００４２】
一方、ステップＳ５では、浴槽１５０の水位上昇が、浴槽への入浴者が大人であると判断する閾値を超えていないので、入浴者は大人ではないと判断し、チャイルドロックを解除せずにロック状態を維持し、処理終了に至る。
【００４３】
上述のようにしてチャイルドロック機能を設定、解除するリモートコントローラ１００Ａを備えた給湯機１１０（図１参照）では、チャイルドロック機能が発動された後に前述の終了条件が成立すると、ロック解除部９６ｆ（図４参照）がチャイルドロック機能を自動的に解除する。このため、チャイルドロック機能が設定された状態であっても、大人が入浴しており、チャイルドロックの必要がないときはチャイルドロック機能が自動的に解除状態となり、大人が入浴し終わり、ふたたびチャイルドロックが必要となった場合は自動的にチャイルドロック機能が設定された状態に戻るように構成し、チャイルドロック機能の設定や解除を使用者が都度行うというわずらわしさを低減した給湯システムを提供することができる。したがって、チャイルドロック機能を設定したままの状態であっても、たとえば大人と子供が２人で同時に入浴しており、大人が浴槽内にいて子供が洗い場にいるときには、大人は浴室リモコンでの設定変更が可能となる一方、子供が浴槽内にいて大人が洗い場にいるときには、子供は浴室リモコンを操作してもチャイルドロック機能により操作が無効となるため、大人が洗い場で洗髪をしているときなど子供から目を離していていも、子供による浴室リモコンの誤操作を抑制することが可能となり、利便性が向上する。
【００４４】
実施の形態２．
本発明の実施の形態１の給湯機では、浴室内に給湯機を操作する浴室リモコンが１つ存在する場合に、使用者の入浴による浴槽水位の上昇度合いにより入浴者が大人か子供かを判別し、大人が入浴している場合は、チャイルドロック機能を解除するように構成したが、たとえば、浴室以外に設置された給湯機を操作する他のリモコンも存在する場合に、チャイルドロック機能を発動するリモコンを浴室リモコン側のみに限定するように構成してもよい。
【００４５】
図３は、本発明の第２の実施の形態による給湯機用の台所リモコンを示す図であり、当該台所リモコン２００Ａは、浴室リモコン１００Ａと同様に本体側制御装置８０と通信するように構成され、浴室以外の場所、たとえば台所などに設置される。図３において、台所リモコン２００Ａは、指令や情報等を入力するための複数の入力スイッチを有する操作部１９１、液晶表示パネル等のフラットディスプレイパネルを用いて構成されて操作部１９１から入力された指令や情報等を文字、図形、キャラクタ等の視覚情報にして表示する表示部１９２、操作部１９１のうち浴室リモコン１００Ａとのインターホン通話を行うためのインターホン発動スイッチ１９１ｂ、インターホン機能での台所リモコン２００Ａ側の音声を受けるマイク部１９４、浴室リモコン側のマイク部９４で受けた音声を台所リモコン２００Ａ側で再生させるスピーカ部１９３等を備えている。この台所リモコン２００Ａは、操作部１９１から入力された上記の指令や情報等を給湯機本体９０、具体的には本体側制御部８０ａに送る。また、給湯機本体９０から運転状況等の情報を受信して、該情報を表示部１９２に表示する。ただし、操作部１９１中のチャイルドロック発動スイッチ１９１ａが操作されてチャイルドロック機能が発動した後は、所定の終了条件が成立するまで、浴室リモコン１００Ａの操作部９１からの入力が無効になる。
【００４６】
これによれば、使用者はチャイルドロック機能が設定された状態であっても、浴室リモコンでのチャイルドロック機能を維持しながら、台所リモコンではロック状態でない通常の入力操作を行うことができ、大人の目の届きやすい台所リモコンではロック状態のない利便性の良い状態を維持しながら、浴室リモコンではチャイルドロック機能を発揮させることができ、たとえば、子供だけで入浴させたい場合は、チャイルドロック機能を発揮ささせたままで浴室での浴室リモコンの子供の誤操作を抑制でき、台所では大人が台所リモコンを操作するうえで、都度チャイルドロック機能を解除する必要がなく、利便性が向上する。
【００４７】
実施の形態３．
本発明の実施の形態２の給湯機では、給湯機を操作するリモコンが浴室リモコンと台所リモコンの２つ存在する場合に、チャイルドロック機能を発揮するリモコンを浴室リモコン側に限定する場合について述べたが、たとえば、浴室リモコンでチャイルドロック機能が発動している場合であっても、浴室リモコンの一部機能については、チャイルドロック機能でのロックの対象外とするように構成してもよい。
【００４８】
本実施の形態３による給湯機の浴室リモコン１００Ａは、図２において、浴室リモコン１００Ａに設けられた、インターホン通話を行うためのインターホン発動スイッチ９１ｂは、チャイルドロック機能が発動されている場合であっても、ロック部９６ｅの影響を受けないように構成されている。
【００４９】
これによれば、チャイルドロック機能が発動されていても、浴室リモコン１００Ａから台所リモコン２００Ａへのインターホン機能は有効に動作することができるため、たとえば、浴室内から外部へ連絡したい事項（浴室内で気分が悪くなった、とか、子供だけで入浴中に大人に浴室に来てほしい事案が発生した、など）が発生した場合においても、チャイルドロック機能を発動したままで浴室外との連絡が可能となり、利便性が向上する。
【００５０】
なお、上述の実施の形態３では、浴室リモコンから台所リモコンへのインターホン機能について説明したが、これに限らず、インターホン機能を備えずに浴室リモコンを操作することで、台所リモコンのスピーカ部から報知音を出したり、台所リモコンの表示部に浴室側で呼んでいることを示唆する表示を出すなどの報知手段について、チャイルドロック機能の対象外とするように構成してもよく、この場合でも上述と同様の効果を奏する。
【００５１】
以上、本発明の給湯機について実施の形態を挙げて説明したが、前述のように、本発明は上記の形態に限定されるものではない。本発明の給湯機は、給湯機本体と通信する機能、チャイルドロックを発動させる機能、および予め定められた条件が成立したときにチャイルドロック機能を自動的に解除する機能を有していればよく、当該給湯機用リモートコントローラの構成は適宜選定可能である。また、給湯機用リモートコントローラは、前述の２つの場合に限らず、３つ以上としてもよい。
【００５２】
また、チャイルドロック機能の発動により禁止されない入力操作は、予め設定された一部の入力操作を指定してもよい。本実施の形態では浴室リモコンがチャイルドロックされていても、台所リモコンへのインターホンによる通話等の報知機能の入力については対象外とする例について述べたが、たとえば、浴槽への高温の湯のさし湯等の停止等、安全性にかかわる、または安全側に動作する入力操作についてはロックしないように構成してもよい。
【００５３】
本発明の給湯機は、上述した本発明の給湯機用リモートコントローラを備えていればよく、給湯機用リモートコントローラ以外の構成は適宜変更可能である。例えば、水を湯に沸き上げる熱源機としては、ヒートポンプユニットに代えて、貯湯タンク内に配置されたヒータや、ガス燃焼装置等を用いることもできる。温水式床暖房装置や浴槽等の外部負荷設備で用いられて温度低下した湯を再加熱する機能を付加するか否かは適宜選択可能である。本発明の給湯機用リモートコントローラおよび給湯機については、上述した以外にも様々な変形、装飾、組み合わせ等が可能である。
【符号の説明】
【００５４】
１０  ヒートポンプユニット
２０  貯湯タンク
３０  給水管路
４０  加熱循環管路
５０  給湯管路
６０  放熱側循環管路
６７  水位センサ
７０  負荷側循環管路
７５  再加熱用熱交換器
８０  本体側制御装置
９０  給湯機本体
９１  操作部
９１ａ  チャイルドロック発動スイッチ
９２  表示部
９３  スピーカ部
９４  マイク部
９５  送受信処理部
９６Ａ  リモート側制御部
９６ａ  入力処理部
９６ｂ  表示制御部
９６ｃ  スピーカ制御部
９６ｄ  通信管理部
９６ｅ  ロック部
９６ｆ  ロック解除部
９６ｇ  水位情報取得部
９７  記憶部
１００Ａ  リモートコントローラ（浴室リモコン）
１１０  給湯機
１９１ａ  チャイルドロック発動スイッチ
１９２  表示部
１９３  スピーカ部
１９４  マイク部
２００Ａ  台所用リモコン
【図１】
2015206516.tif 000003
【図２】
2015206516.tif 000004
【図３】
2015206516.tif 000005
【図４】
2015206516.tif 000006
【図５】
2015206516.tif 000007